(57)【要約】【課題】雑音低減効果の低下の防止及び立ち消えを防止するとともにデューティ比による調光制御を容易に行うことのできる無電極放電灯点灯装置及びそれを用いた照明器具を提供する。【解決手段】無電極放電灯１に近接配置された誘導コイル２に共振回路を介して高周波電力を供給する高周波電源部３と、無電極放電灯１の点灯期間Ｔ２及び不点灯期間Ｔ３を交互に繰り返すように高周波電源部３の動作周波数ｆｉｎｖを可変して制御する周波数制御部４とを有し、点灯期間Ｔ２において誘導コイル２に印加される高周波電圧Ｖｃｏｉｌが点灯期間Ｔ２の周期よりも短い周期で且つ所定の大きさの電圧幅で変動するように高周波電源部３の動作周波数ｆｉｎｖを可変して制御する変動制御部５を設けた。【選択図】図１
2009238540.tif 000002
【特許請求の範囲】
【請求項１】
無電極放電灯に近接配置された誘導コイルに共振回路を介して高周波電力を供給する高周波電源部と、無電極放電灯の点灯期間及び不点灯期間を交互に繰り返すように高周波電源部の動作周波数を可変して制御する周波数制御部とを有する無電極放電灯点灯装置であって、点灯期間において誘導コイルに印加される高周波電圧が点灯期間の周期よりも短い周期で且つ所定の大きさの電圧幅で変動するように高周波電源部の動作周波数を可変して制御する変動制御部を設けたことを特徴とする無電極放電灯点灯装置。
【請求項２】
前記変動制御部は、共振回路の共振周波数からずらした周波数領域で動作周波数を可変制御することを特徴とする請求項１記載の無電極放電灯点灯装置。
【請求項３】
前記変動制御部は、点灯期間における動作周波数で不点灯期間における動作周波数を可変制御することを特徴とする請求項１又は２記載の無電極放電灯点灯装置。
【請求項４】
前記周波数制御部には、再点弧始動時において変動制御部が動作周波数の可変制御を行うのを停止させる変動停止部が設けられたことを特徴とする請求項１乃至３の何れか１項に記載の無電極放電灯点灯装置。
【請求項５】
少なくとも無電極放電灯を保持する器具本体と、無電極放電灯に近接配置される誘導コイルと、誘導コイルに高周波電力を供給する請求項１乃至４の何れか１項に記載の無電極放電灯点灯装置とを備えたことを特徴とする照明器具。
【発明の詳細な説明】
【技術分野】
【０００１】
本発明は、無電極放電灯点灯装置及びそれを用いた照明器具に関する。
【背景技術】
【０００２】
従来から、バルブ内に放電ガスを封入した無電極放電灯に近接配置された誘導コイルに高周波電流を供給することで無電極放電灯を点灯させる無電極放電灯点灯装置が知られており、例えば特許文献１に開示されている。この従来例は、誘導コイルに高周波電力を供給する高周波電源回路の動作周波数ｆｉｎｖを変化させることで、無電極放電灯が点灯期間と不点灯期間とを交互に繰り返すように高周波電圧Ｖｃｏｉｌを誘導コイルに印加するものであって、図１０（ａ）に示すように、再点弧始動期間Ｔ１及び点灯期間Ｔ２において動作周波数ｆｉｎｖを連続的に変化させることで、無電極放電灯より発生する雑音のピーク強度を平均化し、雑音を低減している。
【特許文献１】特開２００４−２４７２０１号公報
【発明の開示】
【発明が解決しようとする課題】
【０００３】
しかしながら、上記従来例では、調光が浅い、即ち、デューティ比が大きい場合には高周波電圧Ｖｃｏｉｌの小さい部分が削られることから点灯電力があまり減少しないのに対して（図１０（ｂ）参照）、調光が深い、即ちデューティ比が小さい場合には高周波電圧Ｖｃｏｉｌの大きい部分が削られることから点灯電力が大きく減少するため（図１０（ａ）参照）、デューティ比と点灯電力との関係にずれが生じることでデューティ比だけで調光を制御するのが難しいという問題があった。また、デューティ比が小さい場合には、高周波で動作する部分が削られることから、動作周波数ｆｉｎｖの変動幅が狭くなるとともに周波数帯に偏りが生じ、雑音を低減する効果が小さくなるという問題があった。更に、点灯期間Ｔ２において高周波電圧Ｖｃｏｉｌを徐々に減少させることから、点灯期間Ｔ２の終盤では高周波電圧Ｖｃｏｉｌが小さい状態が続くことで無電極放電灯の立ち消えが起こり易いという問題があった（図１０（ｃ）参照）。
【０００４】
本発明は、上記の点に鑑みて為されたもので、雑音低減効果の低下の防止及び立ち消えを防止するとともにデューティ比による調光制御を容易に行うことのできる無電極放電灯点灯装置及びそれを用いた照明器具を提供することを目的とする。
【課題を解決するための手段】
【０００５】
請求項１の発明は、上記目的を達成するために、無電極放電灯に近接配置された誘導コイルに共振回路を介して高周波電力を供給する高周波電源部と、無電極放電灯の点灯期間及び不点灯期間を交互に繰り返すように高周波電源部の動作周波数を可変して制御する周波数制御部とを有する無電極放電灯点灯装置であって、点灯期間において誘導コイルに印加される高周波電圧が点灯期間の周期よりも短い周期で且つ所定の大きさの電圧幅で変動するように高周波電源部の動作周波数を可変して制御する変動制御部を設けたことを特徴とする。
【０００６】
請求項２の発明は、請求項１の発明において、変動制御部は、共振回路の共振周波数からずらした周波数領域で動作周波数を可変制御することを特徴とする。
【０００７】
請求項３の発明は、請求項１又は２の発明において、変動制御部は、点灯期間における動作周波数で不点灯期間における動作周波数を可変制御することを特徴とする。
【０００８】
請求項４の発明は、請求項１乃至３の何れか１項の発明において、周波数制御部には、再点弧始動時において変動制御部が動作周波数の可変制御を行うのを停止させる変動停止部が設けられたことを特徴とする。
【０００９】
請求項５の発明は、少なくとも無電極放電灯を保持する器具本体と、無電極放電灯に近接配置される誘導コイルと、誘導コイルに高周波電力を供給する請求項１乃至４の何れか１項に記載の無電極放電灯点灯装置とを備えたことを特徴とする。
【発明の効果】
【００１０】
請求項１の発明によれば、誘導コイルに印加される高周波電圧が点灯期間よりも短い周期で且つ所定の大きさの電圧幅で変動するため、デューティ比の可変に応じて一定の点灯電力が増減し、デューティ比と点灯電力との関係にずれが生じることがなくデューティ比による調光制御を容易に行うことができる。また、デューティ比の大小に関わらず動作周波数の変動幅が一定であり、変動幅が狭くなったり周波数帯が偏ることがないので、雑音を低減する効果が低下するのを防止することができる。更に、点灯期間において高周波電圧が小さい状態が続くことがないので、無電極放電灯の立ち消えを防止することができる。
【００１１】
請求項２の発明によれば、高周波電源部を構成する部品へのストレスを回避することができ、動作が不安定になるのを防止することができる。
【００１２】
請求項３の発明によれば、点灯期間と同様に不点灯期間においても動作周波数を可変制御することで、不点灯期間において発生する無電極放電灯の雑音を低減することができる。また、変動制御部を点灯期間と不点灯期間とで共用できるので、部品点数を削減することができる。
【００１３】
請求項４の発明によれば、再点弧期間において誘導コイルに印加される電圧が変動しないため、再点弧性を改善するとともに再点弧動作が不安定になるのを防止することができる。
【００１４】
請求項５の発明によれば、請求項１乃至４の何れか１項の効果を奏する照明器具を実現することができる。
【発明を実施するための最良の形態】
【００１５】
（実施形態１）
以下、本発明に係る無電極放電灯点灯装置の実施形態１について図面を用いて説明する。本実施形態は、図１（ａ）に示すように、交流電源ＡＣからの交流電圧を変換して直流電圧ＶＤＣを出力する直流電源回路３０、及び直流電源回路３０からの直流電圧ＶＤＳを変換して高周波電圧Ｖｃｏｉｌを出力する電力変換回路３１から成る高周波電源部３と、電力変換回路３１の出力端に接続されて両端に高周波電圧Ｖｃｏｉｌが印加される誘導コイル２と、誘導コイル２に近接配置される無電極放電灯１と、電力変換回路３１を駆動するドライブ回路４０、及び無電極放電灯１の点灯・不点灯を制御するためのＰＷＭ信号を電力変換回路３１に与えるＰＷＭ信号発振回路４１、並びにドライブ回路４０とＰＷＭ信号発振回路４１との間に設けられて動作周波数ｆｉｎｖをスイープさせる始動スイープ回路４２から成る周波数制御部４と、高周波電源部３の動作周波数ｆｉｎｖを可変して制御する変動制御部５とから構成される。
【００１６】
無電極放電灯１は、図６（ｂ）に示すように、不活性ガス・金属蒸気等の放電ガス（例えば、水銀及び希ガス）が封入された透明な略球状のバルブ１０と、バルブ１０に封止されてバルブ１０の内方に突出した略円筒状のキャビティ１１とから成り、キャビティ１１には、バルブ１０を保持するとともにバルブ１０に対する誘導コイル２の位置決めをする略円筒状のカプラ１２（図６（ａ）参照）が挿入される。カプラ１２にはフェライトコア（図示せず）が設けられており、該フェライトコアに誘導コイル２が巻設される。また、カプラ１２は、出力線９ａを介して金属製のケース９の内部に収納される無電極放電灯点灯装置と接続されている。而して、カプラ１２をキャビティ１１に挿入するとともにバルブ１０に設けられた口金１３に嵌合することで、口金１３と電気的に接続された出力線９ａを介してカプラ１２の誘導コイル２に高周波電流が供給される。尚、ケース９には、本実施形態若しくは後述する実施形態２の無電極放電灯点灯装置が収納される。このような無電極放電灯１及び無電極放電灯点灯装置は、例えば街路灯の器具本体７（図７（ａ）参照）や防犯灯の器具本体８（図７（ｂ）参照）に搭載される。
【００１７】
直流電源回路３０は、図１（ａ）に示すように、ダイオードブリッジから成る整流回路ＤＢとスイッチング素子Ｑ１、インダクタＬ１、ダイオードＤ１、制御回路ＣＣ及び平滑用コンデンサＣ１から成る昇圧チョッパ回路で構成される。而して、交流電源ＡＣからの交流電圧を整流し、整流された脈流電圧を昇圧した後に平滑化することで直流電圧ＶＤＣを出力するようになっている。
【００１８】
電力変換回路３１は、図１（ａ）に示すように、スイッチング素子Ｑ２，Ｑ３と、インダクタＬｓ、コンデンサＣｓ，Ｃｐから成る共振回路とで構成されており、スイッチング素子Ｑ２，Ｑ３のオン／オフを高周波でスイッチングして誘導コイル２に対して数十ｋＨｚから数百ｋＨｚの高周波電圧Ｖｃｏｉｌを印加することにより、誘導コイル２に高周波電磁界を発生させて無電極放電灯１に高周波電力を供給する。これに応じて、無電極放電灯１内に高周波プラズマ電流を発生させて紫外線若しくは可視光を発生させるようになっている。
【００１９】
ドライブ回路４０は、図１（ａ）に示すように、定電圧電源Ｅｓ、電圧制御発振器ＶＣＯ、抵抗Ｒ１，Ｒ２で構成される。電圧制御発振器ＶＣＯの入力端子ＶＩには、定電圧電源Ｅｓの出力電圧が抵抗Ｒ１，Ｒ２で分圧されて与えられており、その分圧点からのシンク電流Ｉｖｐに応じて電圧が変化する。したがって、電圧制御発振器ＶＣＯの入力端子ＶＩにはシンク電流Ｉｖｐに応じた電圧が入力され、電圧制御発振器ＶＣＯは入力された電圧に応じた動作周波数ｆｉｎｖでＨｏｕｔ端子とＨ−ＧＮＤ端子間、Ｌｏｕｔ端子とＬ−ＧＮＤ端子間に、相互に位相が１８０度ずれたスイッチング素子Ｑ２，Ｑ３に対する略矩形波状の駆動信号を出力する。本実施形態では、入力端子ＶＩの電圧が大きくなるにつれて動作周波数ｆｉｎｖが小さくなるように設定されている。尚、本実施形態では、スイッチング素子Ｑ２，Ｑ３としてＦＥＴを例示しているが、これに限定されるものではない。
【００２０】
ＰＷＭ発振回路４１は、図１（ａ）に示すように、任意の周波数ｆｐｗｍのＰＷＭ信号（電圧Ｖｐｗｍ）を発生し、そのデューティ比は利用者の操作によって所定の値に設定される。ＰＷＭ発振回路４１の出力は後述する始動スイープ回路４２を介してドライブ回路４０に接続され、ＰＷＭ信号に応じてシンク電流Ｉｖｐを変化させ、動作周波数ｆｉｎｖを可変する。尚、本実施形態ではＰＷＭ発振回路４１は無電極放電灯点灯装置に内蔵されているが、ＰＷＭ発振回路４１を装置の外部に設け、外部からＰＷＭ信号を装置に与える構成にしても構わない。
【００２１】
始動スイープ回路４２は、図１（ａ）に示すように、ＰＷＭ発振回路４１からのＰＷＭ信号を受けて動作周波数ｆｉｎｖのスイープを行い、誘導コイル２に印加する高周波電圧Ｖｃｏｉｌを所定の速度で徐々に上昇させ、無電極放電灯１の点弧始動、再点弧始動を行う。始動スイープ回路４２は、直流電源Ｅ１、オペアンプＯＰ１、抵抗Ｒ３、コンデンサＣ２から成る積分回路、コンデンサＣ２の電荷放電のためのスイッチング素子Ｑ４、抵抗Ｒ４，Ｒ５等から構成される。
【００２２】
変動制御部５は、図１（ａ）に示すように、基準となる周波数ｆ０の発振信号を出力する発振回路５０と、発振回路５０からの出力信号を分周して所望の周波数ｆｄの正弦波状の発振信号（電圧Ｖｄ）を出力する分周回路５１とから構成され、分周回路５１からの発振信号をダイオードＤ３を介してドライブ回路４０に出力する。分周回路５１から出力される発振信号の周波数ｆｄは、ＰＷＭ信号の周波数ｆｐｗｍよりも大きく、且つその周期が再点弧始動期間Ｔ１よりも長くなるように設定される。また、分周回路５１からの発振信号の振幅は、高周波電圧Ｖｃｏｉｌの変動する電圧の幅が所定の大きさとなるように動作周波数ｆｉｎｖを変動させるように設定される。
【００２３】
以下、本実施形態の点滅動作について図１（ｂ）を用いて説明する。尚、図１（ｂ）は、電力変換回路３１の再点弧始動時の共振曲線Ａと点灯時の共振曲線Ｂを示す。先ず、ＰＷＭ信号がハイレベルの場合、動作周波数ｆｉｎｖはｆ１とｆ２との間の周波数で変動する。このため、高周波電圧Ｖｃｏｉｌは無電極放電灯１の点灯維持に必要な電圧を下回る電圧で周期的に変動する。ＰＷＭ信号がハイレベルからローレベルになると、始動スイープ回路４２のスイッチング素子Ｑ４はオフとなり、直流電源Ｅ１からの電圧供給を受けて抵抗Ｒ３を介してコンデンサＣ２を充電し、コンデンサＣ２の両端電圧ＶＣ２をオペアンプＯＰ１の非反転入力端子に印加し、その出力である制御電圧Ｖｆを抵抗Ｒ６、ダイオードＤ２を介してドライブ回路４０に出力する。その結果、抵抗Ｒ３、コンデンサＣ２により決定される時定数に応じて動作周波数ｆｉｎｖがｆ１とｆ２との間の周波数からｆ３とｆ４との間の周波数まで徐々にスイープする。而して、動作周波数ｆｉｎｖのスイープに応じて高周波電圧Ｖｃｏｉｌが不点灯期間Ｔ３における電圧から徐々に上昇し、再点弧電圧に達すると無電極放電灯１が点灯する。その後、ＰＷＭ信号がハイレベルになるまで動作周波数ｆｉｎｖはｆ３とｆ４との間で変動し、高周波電圧Ｖｃｏｉｌは無電極放電灯１の点灯維持に必要な電圧を下回る電圧で周期的に変動する。
【００２４】
ＰＷＭ信号がローレベルからハイレベルになると、始動スイープ回路４２のスイッチング素子Ｑ４がオフからオンに変化し、コンデンサＣ２の電荷が抵抗Ｒ５、スイッチング素子Ｑ４を介して放電され、コンデンサＣ２の両端電圧ＶＣ２は抵抗Ｒ３と抵抗Ｒ４，Ｒ５の並列回路との分圧で決定される。このため、高周波電圧Ｖｃｏｉｌは低下して無電極放電灯１の点灯維持に必要な電圧を下回ることで消灯する。したがって、ＰＷＭ信号によって周期的にスイッチング素子Ｑ４のオン／オフを繰り返すことで無電極放電灯１の点滅動作が可能となり、ＰＷＭ信号のデューティ比を可変することによって無電極放電灯１の出力を所定の出力に可変することができる。
【００２５】
尚、動作周波数ｆｉｎｖは、装置の低コスト化のために数十ｋＨｚ〜数百ｋＨｚとし、点滅動作時のＰＷＭ信号の周波数ｆｐｗｍは、人間の目にちらつき感を与えないように１００Ｈｚ〜数ｋＨｚに設定される。また、ＰＷＭ信号の周波数ｆｐｗｍは、無電極放電灯１を安定点灯させるために、点灯期間のうち再点弧始動に要する時間の占有率が５０％以下となるように設定される。
【００２６】
ここで、本実施形態では、高周波電圧Ｖｃｏｉｌが点灯期間Ｔ２よりも短い周期で且つ所定の大きさの電圧幅で変動するため、図２（ａ），（ｂ）に示すように、デューティ比の可変に応じて一定の点灯電力が増減し、デューティ比と点灯電力との関係にずれが生じることがなくデューティ比による調光制御を容易に行うことができる。また、デューティ比の大小に関わらず動作周波数ｆｉｎｖの変動幅が一定であり、変動幅が狭くなることがないので、雑音を低減する効果が低下するのを防止することができる。更に、従来例のように点灯期間Ｔ２において高周波電圧Ｖｃｏｉｌが小さい状態が続くことがないので、無電極放電灯１の立ち消えを防止することができる。尚、図２（ｃ）に示すように、全点灯時においても高周波電圧Ｖｃｏｉｌが変動するので、雑音を低減することができる。
【００２７】
また、点灯期間Ｔ２のみならず不点灯期間Ｔ３においても高周波電圧Ｖｃｏｉｌが変動するため、不点灯期間Ｔ３においても雑音を低減することができる。更に、変動制御部５を点灯期間Ｔ２と不点灯期間Ｔ３とで共用できるので、部品点数を削減することができる。本実施形態では、上記のように不点灯期間Ｔ３においても変動制御部５を動作させているが、不点灯期間Ｔ３に変動制御部５の動作を停止させても構わない。また、不点灯期間Ｔ３における動作周波数ｆｉｎｖは、高周波電圧Ｖｃｏｉｌが大きくなって損失が大きくなることがないように十分に高周波側に設定されるのが望ましい。
【００２８】
尚、分周回路５１から出力される発振信号の周波数ｆｄは可聴領域以上である２０ｋＨｚ以上に設定されるのが望ましい。このように設定することで、カプラ１２に設けられたフェライトコアの振動によって発生する騒音を聞こえないようにすることができる。
【００２９】
ところで、電力変換回路３１の出力側から負荷側を見たインピーダンスＺの周波数特性は図３（ａ）のようになり、３つの共振点ア〜ウを持つ。本実施形態では、一番高周波側の共振点ウ近傍の領域で無電極放電灯１の点滅動作を行うように動作周波数ｆｉｎｖを設定しており、変動制御部５によって変動する周波数領域は動作周波数ｆｉｎｖよりも低い周波数領域に設定される。しかしながら、上記周波数領域に一番低周波側の共振点アが含まれると、図３（ｂ）に示すように進相領域での動作となってスイッチング素子Ｑ２，Ｑ３に過大なストレスが発生することになり、動作が不安定になる。そこで、変動制御部５が共振回路の共振周波数からずらした周波数領域で動作周波数ｆｉｎｖを可変制御する、即ち、一番低周波側の共振点Ａからずらした周波数領域で可変制御することで、スイッチング素子Ｑ２，Ｑ３へのストレスを回避することができ、動作が不安定になるのを防止することができる。
【００３０】
（実施形態２）
以下、本発明に係る無電極放電灯点灯装置の実施形態２について図面を用いて説明する。但し、本実施形態の基本的な構成は実施形態１と共通であるので、共通する部位には同一の番号を付して説明を省略するものとする。本実施形態は、図４に示すように、変動制御部５の分周回路５１から矩形波状の発振信号を出力することに特徴がある。また、本実施形態では、始動スイープ回路４２をマイコン４３で構成している。マイコン４３は、実施形態１の始動回路４２と同様に再点弧始動時に高周波電圧Ｖｃｏｉｌを徐々に上昇させる始動スイープ機能を有する。而して、本実施形態では、図５に示すように高周波電圧Ｖｃｏｉｌが矩形波状に変動し、実施形態１と同様の効果を奏することができる。
【００３１】
（実施形態３）
以下、本発明に係る無電極放電灯点灯装置の実施形態３について図面を用いて説明する。但し、本実施形態の基本的な構成は実施形態１と共通であるので、共通する部位には同一の番号を付して説明を省略するものとする。本実施形態は、図６に示すように、再点弧始動期間Ｔ１において変動制御部５が動作周波数ｆｉｎｖの可変制御を行うのを停止させる変動停止部６を周波数制御部４に設けている。
【００３２】
変動停止部６は、ダイオードＤ４及び始動スイープ回路４２の直列回路と並列に接続されており、非反転入力端子に直流電源Ｅ２が接続されるとともに反転入力端子にダイオードＤ５を介してＰＷＭ信号が入力されるオペアンプＯＰ２と、オペアンプＯＰ２の出力端子と直列に接続されるダイオードＤ６、抵抗Ｒ７、コンデンサＣ３と、抵抗Ｒ７とコンデンサＣ３との間の接続点からの入力に応じてオン／オフするスイッチング素子Ｑ５と、直流電源Ｅ３と直列接続されるとともに抵抗Ｒ８を介したオペアンプＯＰ２からの出力に応じてオン／オフするスイッチング素子Ｑ６と、ダイオードＤ３とスイッチング素子Ｑ６との間に挿入されるダイオードＤ７とから構成される。
【００３３】
以下、変動停止部６の動作について説明する。先ず、ＰＷＭ信号がハイレベルからローレベルになると、オペアンプＯＰ２の出力がハイレベルになることからスイッチング素子Ｑ６がオンとなり、直流電源Ｅ３の電源電圧がダイオードＤ３を介してドライブ回路４０に入力されるので、変動制御部５の動作を停止させる。同時に、オペアンプＯＰ２の出力がダイオードＤ６を介して抵抗Ｒ７及びコンデンサＣ３に入力され、コンデンサＣ３が充電される。コンデンサＣ３の両端電圧が所定電圧を超えると、スイッチング素子Ｑ５がオンされてスイッチング素子Ｑ６がオフとなるので、変動制御部５の動作が再開する。ここで、コンデンサＣ３が所定電圧を超えるまでの充電時間は、始動スイープ回路４２における始動スイープに要する時間、即ち、再点弧始動期間Ｔ１に相当する時間となるように設定される。ＰＷＭ信号がローレベルからハイレベルになると、コンデンサＣ３の放電が開始される。この時、オペアンプＯＰ２の出力がローレベルであることからスイッチング素子Ｑ６はオフとなり、直流電源Ｅ３の電源電圧がダイオードＤ３を介してドライブ回路４０に入力されないために変動制御部５の動作を停止することがない。
【００３４】
実施形態１，２では、再点弧始動期間Ｔ１においても変動制御部５が働いて周波数が変動するために、再点弧始動時の高周波電圧Ｖｃｏｉｌが変動して再点弧性が悪化して再点弧できなくなったり、再点弧始動期間Ｔ１が長くなることで動作が不安定になったりする虞があった。そこで、上述のように再点弧始動期間Ｔ１において変動制御部５が働かないようにすることで、再点弧始動時の高周波電圧Ｖｃｏｉｌが変動することが無いために確実に再点弧することができ、再点弧性を改善するとともに再点弧動作が不安定になるのを防止することができる。
【図面の簡単な説明】
【００３５】
【図１】本発明に係る無電極放電灯点灯装置の実施形態１を示す図で、（ａ）は回路図で、（ｂ）は共振特性のグラフである。
【図２】同上の動作波形図で、（ａ）は調光が深い場合を示す図で、（ｂ）は調光が浅い場合を示す図で、（ｃ）は全点灯の場合を示す図である。
【図３】（ａ）は電力変換回路の出力側から負荷側を見たインピーダンスの周波数特性を示す図で、（ｂ）は負荷を流れる電流の位相角の周波数特性を示す図である。
【図４】本発明に係る無電極放電灯点灯装置の実施形態２を示す回路図である。
【図５】同上の動作波形図である。
【図６】本発明に係る無電極放電灯点灯装置の実施形態３を示す回路図である。
【図７】同上の動作波形図である。
【図８】本発明に係る無電極放電灯点灯装置の概略図で、（ａ）は点灯装置が接続されるカプラの概略図で、（ｂ）は無電極放電灯の概略図である。
【図９】本発明に係る無電極放電灯点灯装置を用いた照明器具の例を示す図で、（ａ）は街路灯の一部破断した正面図で、（ｂ）は防犯灯の側面図である。
【図１０】従来の無電極放電灯点灯装置を示す動作波形図で、（ａ）は調光が深い場合を示す図で、（ｂ）は調光が浅い場合を示す図で、（ｃ）は立ち消えが発生した場合を示す図である。
【符号の説明】
【００３６】
１  無電極放電灯
２  誘導コイル
３  高周波電源部
３０  直流電源回路
３１  電力変換回路
４  周波数制御部
４０  ドライブ回路
４１  ＰＷＭ発振回路
４２  始動スイープ回路
５  変動制御部
【図１】
2009238540.tif 000003
【図２】
2009238540.tif 000004
【図３】
2009238540.tif 000005
【図４】
2009238540.tif 000006
【図５】
2009238540.tif 000007
【図６】
2009238540.tif 000008
【図７】
2009238540.tif 000009
【図８】
2009238540.tif 000010
【図９】
2009238540.tif 000011
【図１０】
2009238540.tif 000012